(57)【要約】【課題】レーザ光の波面収差を除去するために設ける液晶光学素子を搭載した光ピックアップなどに用いることができ、温度変化による非点収差の発生を極力抑えた、液晶光学素子およびそれを備えた光ピックアップ装置を提供すること。【解決手段】液晶層と接する境界線の形状を、楕円形状としたシールを介して、２枚の透明基板間に前記液晶層を挟持する液晶光学素子において、楕円形状における長軸方向のシール幅に対して、短軸方向のシール幅が細くなる構成を採用した。【選択図】図１
2008186502.tif 000002
【特許請求の範囲】
【請求項１】
液晶層と接する境界線の形状を楕円形状としたシールを介して、２枚の透明基板間に前記液晶層を挟持する液晶光学素子において、
前記楕円形状における長軸方向のシール幅に対して、短軸方向のシール幅が細くなるように形成した
ことを特徴とする液晶光学素子。
【請求項２】
前記シールは、前記長軸方向のシール幅から、前記短軸方向のシール幅に向けて徐々に狭くなるように形成されてなる
ことを特徴とする請求項１に記載の液晶光学素子。
【請求項３】
透明基板の外形形状およびシールの外形形状は、相似形状であり、
前記シールは、シールの外縁部が透明基板の外縁部から等距離となる内側領域に形成されてなる
ことを特徴とする請求項１に記載の液晶光学素子。
【請求項４】
前記透明基板の外形形状およびシールの外形形状は、共に長方形状である
ことを特徴とする請求項３に記載の液晶光学素子。
【請求項５】
レーザ光を出射するレーザ光源と、
前記レーザ光を光ディスクに集光する対物レンズと、
前記光ディスクからの反射光を受光する受光器とを備え、
前記レーザ光源と前記対物レンズとの間の光路中に、請求項１から４のいずれか一項に記載の液晶光学素子を配した
ことを特徴とする光ピックアップ装置。
【発明の詳細な説明】
【技術分野】
【０００１】
本発明は、光ピックアップ装置のレーザ光の光軸上に配置して、コマ収差、非点収差、球面収差等を補償する収差補正用に用いられる液晶光学素子およびそれを備えた光ピックアップ装置に関する。
【背景技術】
【０００２】
ＣＤあるいはＤＶＤ等の光ディスクや、光磁気ディスク等のディスクの情報を読み取ったり、書き込んだりするのに光ピックアップ装置が用いられている。この光ピックアップ装置は、レーザ光源から出射されたレーザ光を光ディスクに照射して、光ディスク表面のトラックに記録された情報を読み取ったり、またはトラックに情報を書きこんだりすることができる装置である。
【０００３】
そして、この光ピックアップ装置には、レーザ光により発生する波面収差（コマ収差、非点収差、球面収差等）の補正を行うために液晶光学素子が用いられる。この液晶光学素子は、素子に形成される収差補正パターンによって規定される能動領域上の液晶に所定の電圧を印加して、この液晶光学素子に入射するレーザ光の位相を局所的に進ませたり、遅らせたりすることで、このレーザ光の波面収差を補正する。これを光ピックアップ装置に搭載することで、正確に光ディスク情報を読み取ったり、または光ディスクへ情報の書き込みを正確に行うことができるようになる。
【０００４】
まず、前述した機能を有する液晶光学素子を搭載した、従来の光ピックアップ装置の構成および機能について説明する。図１０は、従来の光ピックアップ装置を説明するための模式図である。
【０００５】
図１０において、レーザ光源５０から出射したレーザ光６４は、コリメートレンズ５２によってＰ偏光の平行光とされ、偏光ビームスプリッタ５４と液晶光学素子１００を通過する。この液晶光学素子１００に入射する平行光の波面収差を補正した後、位相差板６６（λ／４波長板）により円偏光に変換され、対物レンズ５６により光ディスク５８にビームを照射する。
【０００６】
さらに、光ディスク５８から反射されたレーザ光は、対物レンズ５６を透過し、位相差板６６にてＳ偏光に変換された後、液晶光学素子１００を通過し、偏光ビームスプリッタ５４にて光路を変えて集光レンズ６０を通過して受光器６２に光ディスク５８から反射されたレーザ光を集める。そのデータを基に、光ディスク５８に記録された情報等を読み取ったり、光ディスク５８に情報等の書き込みをすることができるようになる。
【０００７】
次に前述した光ピックアップ装置に使用している液晶光学素子１００について下記に説明をする（例えば特許文献1参照）。図１１（ａ）は、この液晶光学素子１００の構成を説明するための上部平面図であり、図１１（ｂ）は、図１１（ａ）のＤ−Ｄ’断面図を示している。
【０００８】
図１１（ｂ）に示すように、この液晶光学素子１００は、収差補正パターンが形成された透明電極４と、透明性の対向電極５と、配向膜７、８とがそれぞれ形成された２枚の第１、第２の透明基板１、２を、シール１０３を介して間隙をもって貼り合わせ、その間隙に液晶層６を挟持して構成される。この透明電極４に、目的に応じた収差補正用パターンを設けることで、主に光ディスクにより発生する波面収差を補正することを可能とする。なお、本図（ａ）に示す様に、シール１０３の形状は、液晶層６と接する境界線を楕円形
状とし、長軸方向のシール幅ａと短軸方向のシール幅ｂが等しくなるように形成されている。
【０００９】
この様に、短軸方向及び長軸方向のシール幅ａ，ｂをともに同じとした楕円形状のシール１０３とした液晶光学素子１００を備える光ピックアップ装置は、例え外部環境温度が高くなって液晶層６が膨張したとしても、長方形状のシールを有する液晶光学素子に比べて短軸方向と長軸方向の変形曲率の差を極力抑えることが出来る。
【００１０】
【特許文献１】特開２００２−１８４０１７号公報（第３頁、第１図、第６図）
【発明の開示】
【発明が解決しようとする課題】
【００１１】
しかしながら、液晶層６の平面形状が楕円形であり、長軸方向のシール幅ａと短軸方向のシール幅ｂが等しい液晶光学素子１００は、波面補正素子として有効であると考えられていたが、下記の問題点が発生する。
【００１２】
図１２（ａ）は、従来の液晶光学素子１００の平面図を表している。本図面では、紙面右方向をＸ軸、紙面上方向をＹ軸、紙面に垂直で手前方向をＺ軸としている。図１２（ｂ）は、従来の液晶光学素子１００の外部温度が上昇した時の、断面Ｅ−Ｅ’におけるＺ軸方向のギャップ変動とシール１０３の内側領域の距離との関係を示している。また、図１２（ｃ）は、同図（ａ）に示した液晶光学素子１００を９０度回転した構成を示し、図１２（ｄ）は、外部温度が上昇した時の、断面Ｆ−Ｆ’におけるＺ軸方向のギャップ変動とシール１０３の内側領域の距離との関係を示し、図１２（ｅ）は、同図（ｂ）（ｄ）に示したＺ軸方向のギャップ変動とシール１０３の内側領域の距離との関係を示した図面である。なお、常温時の液晶光学素子１００の液晶層６のギャップを縦軸のゼロとしている。また、図１２（ｂ）（ｄ）における符号１２１ａ〜１２１ｄは、シール形成領域を、符号１２２ａ、１２２ｂは、液晶領域（シール１０３の内側領域の距離）を示している。
【００１３】
液晶光学素子１００の温度が上昇した時、熱膨張率が最も大きいのは液晶である。そのため、液晶層６は、セルの中心１２３をピークにして膨らむ。そして、図１２（ｂ）に示すように、長軸方向のギャップ変化に起因する液晶層の曲率１２４は、Ｚ軸方向のピークであるセルの中心１２３からシール１０３まで減少していく形状となる。このときシール１０３は長軸方向の液晶領域１２２ａが比較的長く形成されているので、シール形成領域１２１ａ、１２１ｂと液晶領域１２２ａとの境界での変動は、ほぼ「０」となる。
【００１４】
一方、図１２（ｄ）に示す様に、短軸方向での液晶層の曲率１２５は、セルの中心１２３から外周部のシール１０３までの距離が、長軸方向に比べて短いため、Ｚ軸方向のピークであるセルの中心１２３から、同図（ｂ）に示す長軸方向の液晶層の極率１２４に比べ急激な曲率で減少していく形状となる。このとき短軸方向の液晶領域１２２ｂは長軸方向の液晶領域１２２ａに比べて短く形成されているため、シール形成領域１２１ｃ、１２１ｄと液晶領域１２２ｂとの境界での変動が若干生じている。
【００１５】
この様に外部温度が上昇すると、本図（ｂ）（ｄ）に示す液晶層の曲率１２４、１２５の様に、セルの中心１２３から外周のシール１０３までの長軸方向と短軸方向の液晶層の曲率が異なる形状となるため、セルの中心１２３から短軸方向、長軸方向へ同じ距離に位置する液晶層６のギャップは、図１２（ｅ）に示す様に、必ずギャップ差１２６を生じてしまうこととなる。
【００１６】
このセルの短軸方向と長軸方向のギャップ差１２６は、液晶光学素子１００に入射するレーザ光に対して非点収差を与える要因となり、長方形状のシールを有する液晶光学素子
と比れば小さくなっているものの、十分とはいえない。この非点収差の発生は、光の波面を劣化させてしまうため、外部温度が変動した際にこの収差の劣化がひどいと、光ピックアップ装置における光ディスクの読み込みや書き込みが出来なくなる。
【００１７】
そこで、本発明は、液晶層の平面形状を楕円形としたシール形状を用いた液晶光学素子において上記問題を解決し、レーザ光の波面収差を補正する光ピックアップ等の光学系において、温度変化による非点収差の発生を極力抑えた、液晶光学素子およびそれを備えた光ピックアップ装置を提供する事を目的とする。
【課題を解決するための手段】
【００１８】
上記課題を解決するために、本発明の液晶光学素子は、基本的に下記記載の構成を採用する。
【００１９】
本発明の液晶光学素子は、液晶層と接する境界線の形状を楕円形状としたシールを介して、２枚の透明基板間に前記液晶層を挟持する液晶光学素子において、楕円形状における長軸方向のシール幅に対して、短軸方向のシール幅が細くなる事を特徴とするものである。
【００２０】
また、本発明の液晶光学素子は、前述したシールの幅が、長軸方向のシール幅から、短軸方向のシール幅に向けて徐々に狭くなるように形成されてなることを特徴とするものである。
【００２１】
また、本発明の液晶光学素子は、透明基板の外形形状およびシールの外形形状が相似形状であり、シールの外縁部が透明基板の外縁部から等距離となる内側領域に形成されてなることを特徴とするものである。
【００２２】
また、本発明の液晶光学素子は、透明基板の外形形状およびシールの外形形状が、共に長方形状であることを特徴とするものである。
【００２３】
本発明の光ピックアップ装置は、レーザ光を出射するレーザ光源と、レーザ光を光ディスクに集光する対物レンズと、光ディスクからの反射光を受光する受光器とを備え、レーザ光源と対物レンズとの間の光路中に、前述した液晶光学素子を配したことを特徴とするものである。
【発明の効果】
【００２４】
本発明の液晶光学素子とする事で、液晶層の平面形状が楕円形の液晶光学素子であっても、温度変化による短軸方向の液晶層の曲率と長軸方向の液晶層の曲率を極力同じとなるようにした液晶光学素子を提供する事ができる。また、この液晶光学素子を搭載した光ピックアップ装置は、温度変化による非点収差の発生を極力抑えた装置とすることが出来る。
【発明を実施するための最良の形態】
【００２５】
本発明の液晶光学素子の構成について図面を用いて説明する。図１（ａ）は、本発明の液晶光学素子の上部平面図を示しており、図１（ｂ）は、同図（ａ）Ａ−Ａ’における断面図を示している。
【００２６】
図１（ｂ）に示すように、本発明の液晶光学素子１０は、収差補正パターンが形成された透明電極４と、対向電極５と、配向膜７、８とがそれぞれ形成された２枚の第１、第２の透明基板１、２を、シール３ａを介して間隙をもって貼り合わせ、その間隙に液晶層６を挟持した構成となっている。
【００２７】
また、図１（ａ）に示すように、本発明の液晶光学素子１０のシール形状は、液晶層６と接する境界線の形状を、真円を含まない楕円形状とし、この楕円形状の短軸方向のシール幅ｂを長軸方向にシール幅ａに比べ細くし、かつこの長軸方向のシール幅ａを付した箇所から短軸方向のシール幅ｂを付した箇所に向けて徐々に狭くなるように形成されている。
【００２８】
ここで、本発明の液晶光学素子１０の温度による影響について説明する。図２（ａ）は、本発明の液晶光学素子１０の上部平面図を示し、図２（ｂ）は、外部温度が上昇した時の、同図（ａ）の断面Ｂ−Ｂ’（液晶光学素子１０の長軸方向）におけるＺ軸方向のギャップ変動とシール３ａの内側領域の距離との関係を示している。また、図２（ｃ）は、同図（ａ）に示した液晶光学素子１０を９０度回転した構成を示し、図２（ｄ）は、外部温度が上昇した時の、同図（ｃ）の断面Ｃ−Ｃ’（液晶光学素子１０の短軸方向）におけるＺ軸方向のギャップ変動とシール３ａの内側領域の距離との関係を示し、図２（ｅ）は、同図（ｃ）（ｄ）に示したＺ軸方向のギャップ変動とシール３ａの内側領域の距離との関係を示した図面である。なお、液晶層６の体積は、従来の液晶光学素子１００の構成例と同じとしている。また、常温時の液晶光学素子１０のギャップを縦軸のゼロとしている。また、図２（ｃ）（ｄ）における符号２１ａ〜２１ｄはシール形成領域を、符号２２ａ、２２ｂは液晶領域（シール３ａの内側領域の距離）を示している。
【００２９】
図２（ｂ）に示す様に、本発明の液晶光学素子１０における長軸方向の液晶層の曲率２４は、外部から掛かる温度の上昇に応じて、セルの中心２３で最も厚くなり、セルの中心２３から外周部のシール３ａへ向かうに従い減少する形状となる。この時、長軸方向の液晶領域２２ａは比較的長いため、温度上昇による液晶の熱膨張は透明基板のたわみで吸収でき、シール３aにかかるＺ軸方向の引っ張り張力は小さい。そのためシール３ａの伸びは小さく、シール形成領域２１ａ、２１ｂと液晶領域２２ａとの境界での変動は、ほぼ「０」である。しかし、後で述べるように外部から掛かる温度上昇の際、短軸方向のシールは長軸方向のシールに比べてＺ軸方向に伸びるため、セルの中心２３のギャップは従来の液晶光学素子１００のセル中心のギャップ変動よりも小さくなる。その結果として、本発明の液晶光学素子１０における長軸方向の液晶層の曲率２４は、従来の液晶光学素子１００における液晶層の曲率１２４に比べて緩やかになる。
【００３０】
次に、短軸方向の影響を考える。図２（ｄ）に示す様に、本発明の液晶光学素子１０における短軸方向の液晶層の曲率２５は、外部から掛かる温度の上昇に応じて、セルの中心２３で最も厚くなり、セルの中心２３から外周部のシール３ａへ向かうに従い減少する形状となる。短軸方向のシール幅ｂは長軸方向のシール幅ａに比べて短いため、液晶層６の熱膨張を透明基板のたわみでは吸収しきれずシール３ａは伸びてしまう。そして第１、第２の透明基板１、２により外周部のシール３ａが引っ張れて、シール形成領域２１ｃ、２１ｄと液晶領域２２ｂとの境界部分の本図の上矢印方向にシール３ａが膨張した分だけ、本図の下矢印方向にセルの中心２３のギャップ変動を減少させる。結果として、短軸方向の液晶層の曲率２５は、従来の液晶光学素子１００における液晶層の曲率１２５に比べて大幅に緩やかになる。
【００３１】
つまり、このシール３ａの体積が大きい箇所の第１、第２の透明基板１、２に対するシール３ａの保持力は大きくなり、シール３ａの体積が小さい箇所の第１、第２の透明基板１、２に対するシール３ａの保持力は小さくなる作用を受けて、液晶層６の熱膨張に追従してシール３ａの体積の小さい箇所（短軸方向のシール幅ｂ）のシール３ａも膨張させることで上記作用を受けて、図２（ｅ）に示す液晶層の曲率２４、２５とすることが出来る。
【００３２】
この様に、本発明の液晶光学素子１０は、短軸方向のシール幅ｂを長軸方向のシール幅ａに比べ細くし、かつ長軸方向のシール幅ａから短軸方向のシールｂに向けて徐々に狭くなるようにシール３ａが構成されているので、この短軸方向のシール幅ｂにおける第１、第２の透明基板１、２に対する引っ張り張力によるシール材のＺ軸方向への伸び量を、太い部分のシール幅（長軸方向のシール幅ａ）の箇所に比べて大きくすることが出来る。
【００３３】
これにより、例え外部温度が上昇したとしても、図２（ｄ）に示す様に、従来の構成における液晶層の曲率１２５（図１２（ｄ）参照）に対して、大幅に小さな変化量を示す液晶層の曲率２５とすることが出来る。
【００３４】
そして、液晶光学素子１０の液晶層６は、外部温度が上昇したとしても、図２（ｅ）に示す様に、短軸方向の液晶層の曲率２５が大幅に緩やかになった分、長軸方向の曲率２４と短軸方向の曲率２５を近づけることが出来る。そのため、短軸方向の液晶層の曲率２５と、長軸方向の液晶層の曲率２４のギャップ差２６は、従来のギャップ差１２６（図１１（ｅ）参照）よりもはるかに小さくすることが出来る。それにより、この本発明の液晶光学素子１０を、図１０に示した光ピックアップ装置のレーザ光源と対物レンズの間の光束中に搭載し、具体的には、レーザ光源から出射するレーザ光を液晶光学素子１０を介して対物レンズで光ディスクに集光し、この光ディスクからの反射光を受光器にて検出する構成とすれば、液晶光学素子１０を通過するレーザ光に対し、温度上昇による非点収差の発生を極力抑える装置形態とする事が可能となる。
【００３５】
なお、上記説明では、短軸方向のシール幅ｂを長軸方向のシール幅ａに比べ細くなるように形成されている点について重点を置いて説明したが、上述した作用を受けるためには、図１、図２に示す様に、シールの幅形状が長軸方向から短軸方向に向かうに従い徐々に狭くなるように形成する方が望ましい。
【００３６】
つまり、液晶層６の内側領域を楕円形とし、シール３ａの外形を工夫することで、上記作用を受けることは可能であるが、液晶層６の幅を上述した様に設定することにより、液晶層６と接しているシール３ａの伸び量をシール幅ａを付した箇所からシール幅ｂを付した箇所に向けて段階的に変化させる事ができる。この様に、液晶層６の幅を考慮してシール３ａの形状を設定すれば、より上記作用の効果をより得やすくなる。
【００３７】
次に本発明の液晶光学素子１０の製造方法について図１を用いて説明する。
図１（ｂ）に示す様に、第１、第２の透明基板１、２の表面に、蒸着法あるいはスパッタリング法などで透明導電膜を形成し、フォトリソ工程を経てこの透明導電膜のパターニングを行い、所望のパターン形状を有する透明電極４、および対向電極５をそれぞれ形成する。
【００３８】
次に、図１（ａ）に示す様に、透明電極４が形成された第１の透明基板１に、短軸方向のシール幅ｂが長軸方向のシール幅ａに比べて細く、かつ長軸方向のシール幅ａから短軸方向のシール幅ｂに向けて徐々に狭くなる形状でシール３ａを形成する。
【００３９】
次に、第２の透明基板２に、液晶層６の厚みを規定するためのスペーサー（図示せず）をシール３ａの内側領域に噴霧して、第１、第２の透明基板１、２を貼り合わせる。
【００４０】
そして、このシール３ａにより囲まれた第１、第２の透明基板１、２の間に液晶層６を配することで、本発明の液晶光学素子１０を得ることが出来る。
【００４１】
次に、本発明の液晶光学素子の他の構成例について説明する。図３は本発明の液晶光学素子の他の構成例を示す平面図である。
【００４２】
先に示した液晶光学素子１０（図１参照）と、本構成における液晶光学素１１との相違点は、シール３ｂが第１、第２の透明基板の外縁部３１から等しい距離３０となる内側領域に形成され、シールの外縁部３３、透明基板の外縁部３１共に同形状である点のみである。つまり、ここで示す構成では、第１、第２の透明基板１、２の外形形状と、シール３ｂの外形形状とが相似形状となっている。この様な構成とすることで、スクライブやダイシング等で透明基板を切断する際のシール３ｂへの応力を減らし、切断前後でのギャップ変動を少なくすることができる。
【００４３】
ここで、本発明の液晶光学素子１１におけるスクライブやダイシング等での切断の影響について説明する。
上述した液晶光学素子１１は、多数個の液晶光学素子１１を同時に大判透明基板上に形成した後に、この大判透明基板から個々の液晶光学素子１１をスクライブやダイシング等で切断して形成される。このとき、透明基板の外縁部３１とシールの外縁部３３に応力がかかることとなる。ここで透明基板の外縁部３１にかかる応力は、透明基板の形状には依存しないが、シールの外縁部３３には透明基板の外縁部３１とシールの外縁部３３の間の距離３０に比例した応力が掛かる。この距離３０は、先に述べた液晶光学素子１０より本発明の液晶光学素子１１の方が狭く形成されているため、スクライブやダイシング等の切断によるシール３ｂへの応力を少なくすることが出来る。その結果として、スクライブやダイシング等の切断による液晶層６のギャップ変動を少なくすることが出来る。
【００４４】
なお、上記説明では、距離３０を設けてシール３ｂを設けた構成を示したが、上述した効果を受けるためには、シールの外縁部３３と透明基板の外縁部３１が重なるように形成する方が望ましい。つまり、液晶層６の内側領域を楕円形とし、シールの外縁部３３を工夫することで上記作用を受けることは可能であるが、シールの外縁部３３と透明基板の外縁部３１の間の距離３０を上述した様に設定することにより、切断面からシール外縁部までの距離が「０」になり、切断時のシール３ｂへの応力を抑える事が可能となる。このように、シールの外縁部３３と透明基板の外縁部３１の間の距離３０を考慮してシール３ｂの形状を設定すれば、より上記作用の効果をより得やすくなる。
【００４５】
次に、本発明の液晶光学素子の他の構成例について説明する。図４は本発明の液晶光学素子の他の構成例を示す平面図である。
【００４６】
本構成の液晶光学素１２のシール形状は、短軸方向のシール幅ｂを長軸方向のシール幅ａに比べ細く、かつシール３ｃがシールの外縁部３３と透明基板の外縁部３１の距離３０がシール３ｂの全周に渡って等しくなる内側領域に形成されている。本構成と図３に示した構成との相違点は、透明基板の外縁部３１およびシールの外縁部３３がともに長方形である点のみである。つまり、ここで示す構成においても、第１、第２の透明基板１、２の外形形状と、シール３ｂの外形形状とが相似形状となっている。
【００４７】
上述した図３、図４に示す液晶光学素子１１、１２の形態とする事で、先の構成例と同様に、この液晶光学素子１１、１２を光ピックアップ装置に搭載し、液晶光学素子１１、１２に温度変化が生じても、非点収差の発生を極力抑える事が出来る。
【００４８】
次に、本発明の液晶光学素子の他の構成例について説明する。図５〜図８は本発明の液晶光学素子の他の構成例を示す平面図である。
【００４９】
先に示した液晶光学素子１０（図１参照）と、本構成における液晶光学素子との相違点は、長軸方向のシール幅が短軸方向のシール幅に向けて、階段状に、あるいはＲ状に減少する構成とした点のみである。従って、他の構成要件についてのここでは詳細な説明は割
愛し、上記相違点のみについて説明する。
【００５０】
図５に示す液晶光学素子１３は、シール３ｄを構成する長軸方向のシールの外縁部は短軸方向に向けて階段状に変化していく形態としている。
【００５１】
また、図６に示す液晶光学素子１４は、シール３ｅを構成する長軸方向のシールの外縁部は短軸方向に向けて途中まで透明基板の外縁部と等しい距離となるように形成し、続けて短軸方向のシール幅に向けて、液晶層６の外側に凸となる湾曲形状とし、徐々にシール幅を減少する形態としている。
【００５２】
また、図７に示す液晶光学素子１５は、シール３ｆを構成する長軸方向のシールの外縁部は短軸方向に向けて途中まで透明基板の外縁部と等しい距離となるように形成し、続けて短軸方向のシール幅に向けて、液晶層６の外側に凹となる湾曲形状とし、徐々にシール幅を減少する形態としている。
【００５３】
また、図８に示す液晶光学素子１６は、シール３ｇを構成する長軸方向のシールの外縁部を、短軸方向のシール近傍領域を除いて略長方形に形成し、この短軸方向のシール近傍領域のみを、液晶層６の内側に向けて凹となる湾曲形状として、この湾曲部分にてシール幅を減少させる形態としている。
【００５４】
また、図９に示す液晶光学素子１７は、シール３ｈを構成する長軸方向のシールの外縁部を、短軸方向のシール近傍領域を除いて略長方形に形成し、この短軸方向のシール近傍領域のみを、液晶層６の内側に向けて楔形状として、この楔部分にてシール幅を減少させる形態としている。
【００５５】
上述した図５〜図９に示す液晶光学素子１３〜１７の形態とする事で、先の構成例と同様に、この液晶光学素子１３〜１７を光ピックアップ装置に搭載し、液晶光学素子１３〜１７に温度変化が生じても、非点収差の発生を極力抑える事が出来る。
【図面の簡単な説明】
【００５６】
【図１】本発明の液晶光学素子の構成例を示す上部平面図と断面図である。
【図２】本発明の液晶光学素子の上部平面図と、この素子が温度上昇した際のセルギャップの変動を示す図である。
【図３】本発明の液晶光学素子の他の構成例を示す上部平面図である。
【図４】本発明の液晶光学素子の他の構成例を示す上部平面図である。
【図５】本発明の液晶光学素子の他の構成例を示す上部平面図である。
【図６】本発明の液晶光学素子の他の構成例を示す上部平面図である。
【図７】本発明の液晶光学素子の他の構成例を示す上部平面図である。
【図８】本発明の液晶光学素子の他の構成例を示す上部平面図である。
【図９】本発明の液晶光学素子の他の構成例を示す上部平面図である。
【図１０】光ピックアップ装置の構成を示す模式図である。
【図１１】従来の液晶光学素子の構成を示す上部平面図と断面図である。
【図１２】従来の液晶光学素子の上部平面図と、この素子が温度上昇した際のセルギャップの変動を示す図である。
【符号の説明】
【００５７】
１  第１の透明基板
２  第２の透明基板
３ａ〜３ｈ  シール
４  透明電極
５  対向電極
６  液晶層
７、８  配向膜
１０〜１７  液晶光学素子
２１ａ〜２１ｄ  シール形成領域
２２ａ、２２ｂ  液晶領域
２３  セルの中心
２４、２５  液晶層の曲率
２６  ギャップ差
３０  距離
３１  透明基板の外縁部
３３  シールの外縁部
【図１】
2008186502.tif 000003
【図２】
2008186502.tif 000004
【図３】
2008186502.tif 000005
【図４】
2008186502.tif 000006
【図５】
2008186502.tif 000007
【図６】
2008186502.tif 000008
【図７】
2008186502.tif 000009
【図８】
2008186502.tif 000010
【図９】
2008186502.tif 000011
【図１０】
2008186502.tif 000012
【図１１】
2008186502.tif 000013
【図１２】
2008186502.tif 000014